(57)【特許請求の範囲】
【請求項１】
ズームレンズにおける所定の複数のレンズ群を保持する摺動枠と、
前記摺動枠を光軸方向に進退させるべく駆動する駆動筒とを備えたズームレンズ鏡胴において、
前記ズームレンズのズーミング範囲においては、前記摺動枠が保持する複数のレンズ群の群間距離が変化し、且つ、前記摺動枠の略重心位置を通り前記レンズ群の光軸と直交する仮想面が、前記摺動枠の外周に設けられ前記駆動筒と嵌合する所定の長さの嵌合部を常に横断することを特徴とするズームレンズ鏡胴。
【請求項２】
前記嵌合部がオスヘリコイドであることを特徴とする請求項１に記載のズームレンズ鏡胴。
【請求項３】
前記嵌合部がカム溝を設けた外周面であることを特徴とする請求項１に記載のズームレンズ鏡胴。
【請求項４】
前記嵌合部がカムピンを設けた外周面であることを特徴とする請求項１に記載のズームレンズ鏡胴。
【請求項５】
前記摺動枠が第１のレンズ群を保持する第１レンズ枠と一体的に組立られていると共に、第２のレンズ群を保持する第２レンズ枠を担持していることを特徴とする請求項１〜４の何れか１項に記載のズームレンズ鏡胴。
【発明の詳細な説明】
【０００１】
【発明の属する技術分野】
本発明は、ズームレンズを保持するカメラのズームレンズ鏡胴に関し、特に、工事用のカメラに用いるズームレンズ鏡胴に好適である。
【０００２】
【従来の技術】
従来のズームレンズ鏡胴においては、図４の如く、所定のレンズ群を保持する鏡枠３１にオスヘリコイド３１ａが螺設されており、このオスヘリコイド３１ａと螺合するメスヘリコイドを有する図示していない外筒により鏡枠３１を進退させていた。そして、鏡枠３１のオスヘリコイド３１ａが螺設されている部所は光軸方向における後端であった。
【０００３】
また、従来のズームレンズ鏡胴において、鏡枠３１を光軸方向に直進摺動させるときには、鏡枠３１に摺動溝３１ｂを設け、この摺動溝３１ｂに金属板を折り曲げた直進案内板３２の案内部３２ａが摺動していたが、摺動溝３１ｂの光軸方向の長さより案内部３２ａの光軸方向の長さより長かった。
【０００４】
【発明が解決しようとする課題】
前述の如く従来の技術においては、鏡枠のオスヘリコイドが後端に螺設されているので、外筒のメスヘリコイドと螺合させたとき、鏡枠は言わば片持ち状態になり、重いレンズ群を保持しているので不安定である。従って、カメラをぶつけたり、落としたりすると、衝撃力によって鏡枠が傾き、その結果、保持されているレンズ群が光軸に対してチルトするので、ピント面で片ボケが発生することになった。
【０００５】
本発明はかかる問題を解決することを課題とする。
【０００８】
【課題を解決するための手段】
上記課題は、ズームレンズにおける所定の複数のレンズ群を保持する摺動枠と、前記摺動枠を光軸方向に進退させるべく駆動する駆動筒とを備えたズームレンズ鏡胴において、前記ズームレンズのズーミング範囲においては、前記摺動枠が保持する複数のレンズ群の群間距離が変化し、且つ、前記摺動枠の略重心位置を通り前記レンズ群の光軸と直交する仮想面が、前記摺動枠の外周に設けられ前記駆動筒と嵌合する所定の長さの嵌合部を常に横断することを特徴とするズームレンズ鏡胴により、解決される。
【００１０】
【発明の実施の形態】
本発明を用いたズームレンズ鏡胴の実施の形態を図１乃至図３に基づき詳細に説明する。
【００１１】
先ず、図１乃至図３に基づいて、ズームレンズ鏡胴を構成する部材について説明する。
【００１２】
図１はズームレンズを短焦点にしたときのズームレンズ鏡胴の横断面図、図２はズームレンズを長焦点にしたときのズームレンズ鏡胴の横断面図であり、共に光軸から上半分のみ描いてある。また、図３はズームレンズ鏡胴の主要部材を示す分解斜視図である。
【００１３】
１はフロント地板であり、以下に述べる各部材を全て担持し、図示していないカメラ本体に固着される。２はｆｆ調整環であり、その外周とフロント地板１の内周が嵌合している。また、フロント地板１の内周に設けられ、光軸Ｋに平行な図示していない突部が、ｆｆ調整環２の外周に設けた長溝２ａと係合し、ｆｆ調整環２は直進移動のみ可能である。
【００１４】
３はカム筒であり、その外周がｆｆ調整環２の内周と嵌合している。また、カム筒３の先端部３ａが、ｆｆ調整環２の先端部２ｂとスペーサー４を介して固定されたカム筒保持板５により挟着されているので、カム筒３はｆｆ調整環２に対して回転は自在であるが、光軸方向への移動の場合にはｆｆ調整環２と一体的に移動する。
【００１５】
従って、後述するレンズ群を担持したカム筒３をｆｆ調整環２と共に光軸方向に微小量移動させてピント調整を行った後、ビス６によりｆｆ調整環２をフロント地板１に固定する。
【００１６】
７は摺動枠であり、外周に螺設されたオスヘリコイド７ａがカム筒３の内周に設けられたメスヘリコイド３ｂと螺合している。また、摺動枠７の後方から長溝７ｂがオスヘリコイド７ａを横切って設けられている、また、金属板によりＬ字形に曲げられた直進案内板８が止めネジ９によってフロント地板１にネジ止めされ、摺動枠７の長溝７ｂに直進案内板８の光軸Ｋに平行な案内部８ａが係合し、摺動枠７の回転を案内部８ａの板厚方向にて阻止している。
【００１７】
なお、摺動枠７とカム筒３は前述のヘリコイド結合に限定されるものでなく、カム溝とカムピンによるカム結合でもよい。このとき、摺動枠７の外周壁にカム溝を設けてカム筒３にカムピンを設けても、摺動枠７の外周壁にカムピンを設けてカム筒３にカム溝を設けてもよい。即ち、摺動枠７を駆動することができれば、カム筒３と嵌合する摺動枠７の部所はオスヘリコイド、カム溝、カムピンの何れでもよく、そのため「請求項１」においては、カム筒３に代えて駆動筒と称し、駆動筒と嵌合する摺動枠７の部所を嵌合部と称している。
【００１８】
また、直進案内板８をフロント地板１に固定せず、図示していないカメラ本体若しくはカメラ本体に連なる固定部材に固定してもよい。
【００１９】
なお、２３は植毛紙等からなるリング状の防塵用シートであり、フロント地板に固着させ、フロント地板１と摺動枠７の外周壁７ｄとの間隙よりオスヘリコイド７ａに塵埃等が侵入することを防止している。
【００２０】
また、２４は植毛紙等からなる短冊形の防塵用シートであり、直進案内板８と共に止めネジ９によりフトント地板１にネジ止めすることによって、長溝７ｂの底部と案内部８ａとの面部との間隙よりオスヘリコイド７ａに塵埃等が侵入することを防止している。
【００２１】
ここで、本実施の形態のズームレンズは２群ズームであり、前群の第１レンズＦｃと後群の第２レンズＲｃとから構成されており、第１レンズＦｃは第１レンズ枠１１に挿着され、第１レンズ枠１１と光軸方向に螺合する止め環１２により保持されている。
【００２２】
また、摺動枠７にはシャッタユニット１３が固着され、更にシャッタユニット１３には第１レンズ枠１１がネジ止めされている。従って、第１レンズＦｃは摺動枠７と一体的に移動する。
【００２３】
なお、１４はカメラ本体からシャッタユニット１３を駆動・制御するフレキシブル基板である。
【００２４】
一方、第２レンズＲｃは第２レンズ枠１５に挿着され、第２レンズ枠１５と光軸方向に螺合する止め環１６により保持されている。第２レンズ枠１５は外周にて摺動枠７の内周と嵌合すると共に、外周の３箇所に光軸Ｋに平行な突部１５ａが設けられ、摺動枠７の内周の光軸Ｋと平行な方向に設けられた図示していない長溝と係合している。従って、第２レンズ枠１５は摺動枠７に対して回転はせず、光軸方向への直進移動のみ行う。
【００２５】
また、摺動枠７に穿設された長孔７ｃを通して、カムピン１７が止めネジ１８により第２レンズ枠１５に固定されている。カム筒３の内周にはメスヘリコイド３ｂと共にカム溝３ｃが設けられ、カムピン１７がカム溝３ｃと係合している。
【００２６】
なお、カムピン１７はカム溝３ｃに対して、加工精度上、光軸Ｋと平行な方向にガタが生じてしまう。そのため、摺動枠７の後端に設けた遮光板２２と第２レンズ枠１５の後端部１５ｂとの間に引っ張りバネ２１を掛け、第２レンズ枠１５と共にカムピン１７を後方に付勢することにより、カムピン１７はカム溝３ｃの後方の側壁にのみ当接して、光軸Ｋと平行な方向にガタがなくなる。
【００２７】
次に、以上の構成のズームレンズ鏡胴におけるズーミング作動について説明する。
【００２８】
フロント地板１の周囲には、図示していないが、レンズ駆動用のモータや減速歯車が配置され、減速歯車の最終段歯車が図示していないフロント地板１の切り欠きにて、カム筒３の外周後端に設けられた大歯車３ｄと歯合している。従って、レンズ駆動用のモータが回転するとカム筒３が回転する。摺動枠７はそのオスヘリコイド７ａとカム筒３のメスヘリコイド３ｂが螺合し、且つフロント地板１に固定された直進案内板８によって回転が阻止されているので、カム筒３の回転により、ヘリコイドのリードに応じた直進移動を行う。一方、第２レンズ枠１５に立設しているカムピン１７がカム筒３のカム溝３ｃと係合し、第２レンズ枠１５は摺動枠７に対して回転不可能に形成されているので、第２レンズ枠１５はカム筒３のカム溝３ｃに応じた直進移動を行う。
【００２９】
従って、カム筒３の回転により、摺動枠７及び第２レンズ枠１５、即ち各々に保持された第１レンズＦｃと第２レンズＲｃは光軸方向に直進移動を行い、例えば図１に示す短焦点の状態から図２に示す長焦点の状態に互いのレンズ間隔を接近させながら繰り出される。
【００３０】
以上説明したように、摺動枠７は、シャッタユニット１３、第１レンズ枠１１、第１レンズＦｃ、第２レンズ枠１５、第２レンズＲｃ等の重い部材を含む多数の部材を担持して、オスヘリコイド７ａによってカム筒３のメスヘリコイド３ｂとヘリコイド螺合している。そして、図１に示す短焦点の状態から図２に示す長焦点の状態まで、各部材を担持した摺動枠７の重心位置をＧとすると、重心位置を通り、光軸Ｋと直交する仮想面は、常にオスヘリコイド７ａを横切っている。
【００３１】
従って、摺動枠７はバランス良く各部材を安定して担持し、衝撃に対して強いズームレンズ鏡胴となっている。なお、上記条件を厳密に満たさなくても、重心位置Ｇの略近傍を通る仮想面がオスヘリコイド７ａを横切っていれば、上記と同様な効果が得られる。
【００３２】
また、直進案内板８の光軸に平行な案内部８ａの長さは、摺動枠７の長溝７ｂの長さより遙に短い。従って、直進案内板８のプレス加工による曲げ精度を、従来技術の如く高精度にしなくても、摺動枠７は円滑に作動できる。
【００３３】
なお、〔直進案内板８の案内部８ａの長さ〕＋〔摺動枠７の長溝７ｂの長さ〕＝〔短焦点〜長焦点間の摺動枠７の移動量〕＋〔案内部８ａと長溝７ｂとが嵌合している長さ〕＋〔余裕分〕の関係がある。
【００３４】
更に、摺動枠７が第１レンズＦｃを保持する第１レンズ枠１１と一体的に組立られていると共に、第２レンズＲｃを保持する第２レンズ枠１５を担持しているので、衝撃によって第１レンズＦｃが傾くと第２レンズＲｃも同様に傾き、ピント面で片ボケが生じることがない。
【００３５】
その他に、第１レンズ枠１１に第１レンズＦｃを挿着した後、止め環１２を螺合して保持しており、第２レンズ枠１５に第２レンズＲｃを挿着した後、止め環１６が螺合して保持しているので、カシメによる固定と比較して衝撃に強いレンズ保持となっている。
【００３６】
なお、以上の実施の形態においては、２群構成のズームレンズであったが、３群構成でも実施可能であり、この場合は第２レンズ枠１５と同様にカム駆動される第３レンズ枠を摺動枠７に嵌合させればよい。
【００３７】
【発明の効果】
請求項１〜４のズームレンズ鏡胴によれば、摺動枠は複数のレンズ群等をバランス良く安定して保持するので、衝撃が加わってもレンズ群がチルトしてピント面に片ボケが発生するようなことは起こり難い。
【００３８】
請求項５のズームレンズ鏡胴によれば、衝撃によって一方のレンズが傾くと他方のレンズも同様に傾くので、上記効果に加えて、ピント面における片ボケが発生し難いズームレンズ鏡胴が実現できる。
【図面の簡単な説明】
【図１】ズームレンズを短焦点にしたときのズームレンズ鏡胴の横断面図である。
【図２】ズームレンズを長焦点にしたときのズームレンズ鏡胴の横断面図である。
【図３】ズームレンズ鏡胴の主要部材を示す分解斜視図である。
【図４】従来のズームレンズ鏡胴における鏡枠の図である。
【符号の説明】
Ｆｃ  第１レンズ
Ｒｃ  第２レンズ
１  フロント地板
３  カム筒
７  摺動枠
８  直進案内板
１１  第１レンズ枠
１３  シャッタユニット
１５  第２レンズ枠
１７  カムピン
【図１】
0003837792.tif 000002
【図２】
0003837792.tif 000003
【図３】
0003837792.tif 000004
【図４】
0003837792.tif 000005